(57)【特許請求の範囲】
【請求項１】
第１及び第２端部を持つバンドであって、前記バンドが前記第１及び第２端部が略整列するようにして畳まれ、前記バンドの前記第１及び第２端部に隣接する部分が互いに接触する対面部分を形成し、前記バンドの他の部分が円環を形成するループ状バンドを形成するバンドを有し；
第１又は固定トッグルが前記バンドの第１及び第２端部において前記バンドに対して固定して取り付けられ、
モールド成形体である第２又は可動トッグルが前記バンド上に設けられ、互いに接触する前記対面部分上をスライド可能であり、前記可動トッグルを前記第１及び第２端部から離れる方向にスライドさせると前記ループ状バンドの円環のサイズを減少させ、
前記バンドは、少なくとも１対の前記バンドの頂端縁に対して略垂直のパーフォレーション列であって、各対のパーフォレーション列の一方の列と他方の列は、それぞれ互いに対面する位置にある、パーフォレーション列を有し、
前記バンドは、一又は複数の孔が、前記少なくとも１対の略垂直のパーフォレーション列に隣接して前記バンドの頂端縁に位置している、
デンタルマトリックスバンド。
【請求項２】
更に前記第１及び第２端部において一又は複数の孔を有し、前記孔は対となって整列して貫通孔を形成し、前記固定トッグルは、前記固定トッグルの位置決めを容易にするための前記孔を貫通して延びる部分を含む、
請求項１に記載のデンタルマトリックスバンド。
【請求項３】
前記バンドは、モールド成形体の固定トッグルを有する、請求項２に記載のデンタルマトリックスバンド。
【請求項４】
前記ループ状バンドは頂部タブを含み、前記頂部タブは孔を含み、更に、前記頂部タブの幅に略整列させて一又は複数のパーフォレーションの垂直列を有する、請求項１に記載のデンタルマトリックスバンド。
【請求項５】
更に、修復される歯に関連する隣接する間隙に略整列して設けられる一又は複数のタブを有する、請求項１に記載のデンタルマトリックスバンド。
【請求項６】
前記第１及び第２端部において、前記固定トッグルに隣接し、前記ループ状バンドの方向に一又は複数の孔を有し、これにより、前記バンドが器具を使用して取り扱いが容易となる、請求項１に記載のデンタルマトリックスバンド。
【請求項７】
前記可動トッグルはハンドルを含み、これにより、前記可動トッグルが器具の使用により取り扱いができる、請求項１に記載のデンタルマトリックスバンド。
【請求項８】
前記可動トッグルは孔を含み、これにより、前記可動トッグルが器具により取り扱いができる、請求項１に記載のデンタルマトリックスバンド。
【請求項９】
前記バンドは略長方形の金属バンドで造られる、請求項１に記載のデンタルマトリックスバンド。
【請求項１０】
前記可動トッグルは、前記ループ状バンドに対面する縁部を含む、請求項１に記載のデンタルマトリックスバンド。
【請求項１１】
前記可動トッグルは前記ループ状バンドに対面する縁部を含み、前記縁部は凹曲線状をなす、請求項１に記載のデンタルマトリックスバンド。
【請求項１２】
前記可動トッグルは前記ループ状バンドに対面する縁部を含み、前記縁部は凸曲線状をなす、請求項１に記載のデンタルマトリックスバンド。
デンタルマトリックスバンド。
【請求項１３】
前記可動トッグルは上部部分と底部部分を含み、前記底部部分は前記上部部分より幅広である、請求項１に記載のデンタルマトリックスバンド。
【請求項１４】
前記ループ状バンドは、非円筒形の形状を形成する、請求項１に記載のデンタルマトリックスバンド。
【発明の詳細な説明】
【技術分野】
【０００１】
本出願は、２０１１年６月９日に出願されたニュージーランド出願第593353号、２０１１年１０月１０日に出願されたニュージーランド出願第595654号、及び２０１１年１１月３日に出願されたニュージーランド出願第596177号に基づく優先権を主張するものであり、これらの全ての内容は、ここに参照として組み入れられる。
【０００２】
本発明は、歯科用マトリックスバンドに関し、特に、歯を修復するのに使用する円環状（サーカムファレンシャル）デンタルマトリックスバンドに関する。
【背景技術】
【０００３】
円環状マトリックスバンドとマトリックスバンドの使用は修復歯科医術においては周知であり、また、広く利用されている。
【０００４】
先行技術における主たる問題は、円環状バンドは、修復処理中にマトリックスバンドに張力を保持するためのテンショナーを置いておく必要がある、又は、バンドをバレル型の形態になるように張力を付与する必要がある。このいずれの場合にも、修復処理は、張力装置の存在によって制限を受ける。
【０００５】
デンタルマトリックス保治具はマトリックスバンドをクランプし、歯の修復の期間、歯の周囲にそれを固定しておく必要がある。それは、通常は、本体要素と頭部要素から成る。マトリックスバンドはヘッド要素を介して取り付けられ、本体要素はマトリックスバンドの歯の周囲への締め付けを与える。前述したように、先行技術の問題点は、修復の間、マトリックスバンドの保持具が周辺バンドに取り付けられて残され、歯科医に対する障害の原因となることである。
【発明の概要】
【発明が解決しようとする課題】
【０００６】
本発明の目的は、張力を容易に付与することができる円環状マトリックスバンドを提供することである。
【０００７】
本発明の更なる目的は、一旦載置されると修復領域において邪魔にならない円環状マトリックスバンドを含むようにすることである。
【０００８】
本発明の更なる目的は、円環状バンドを歯の周りに容易に載置し、固定することのできる手段を与えることである。
【課題を解決するための手段】
【０００９】
したがって、本発明は、第１及び第２の端部を持つバンドを含むをマトリックスバンドを提供する。このバンドは、第１と第２の端部が、略、整列して折り畳まれる。第１の端部と第２の端部に隣接する部分は互いに接する対向する面を形成し、バンドの他方の部分は円環部を形成するループを形成する。
【００１０】
第１の固定トッグルがバンドの第１及び第２端部においてバンドに対して固定される第１トッグルにより固定される。第２の、即ち、可動のトッグルがバンド上に形成され、バンドの互いに対向して接触する部分上をスライドできるようにされ、これにより、可動のトッグルを第１及び第２の端部から離れるようにスライドさせるとループ状バンドの円環のサイズを小さくできるようにしている。
【００１１】
このデンタルマトリックスは、一又は複数の、略、垂直のパーフォレーション（ミシン目）の列を含み、この列は、修復される歯の周りにバンドが固定され後にバンドの一部を分離することを可能としている。更に、このバンドは、前記パーフォレーションに隣接して一又は複数の孔を含み、バンドの取り扱いを容易にし、また、前記パーフォレーションに沿って引き裂くことを容易している。このループ状バンドは、修復が終了した後にループ状バンドを歯から取り除くことを容易にするために頂部タブを含むようにしてもよい。この頂部タブは取り扱いを容易にするための孔を含むようにしてもよい。一又は複数のパーフォレーションの列を前記頂部タブと関連付けて、修復が完了した後にループ状バンドを引き裂き、ループ状バンドを取り除くことを可能にすることができる。固定トッグルに隣接して貫通孔を設けて、バンドを口内に置くときのような場合に、バンドの取り扱いを容易にすることもできる。タブはバンドの下端から延びて、バンドが一旦、固定されると、隣接間隙と整列するように設けようにしてもよい。その後に、マトリックスバンドが歯に固定されていること確認するため、補修される歯の両側にウェッジが挿入される。
【図面の簡単な説明】
【００１２】
【図１】本発明の一実施例による円環状デンタルマトリックスの斜視図である。
【図２】本発明によるず１の円環状デンタルマトリックスの側面図である。
【図３】本発明の他の実施例による円環状デンタルマトリックスの斜視図である。
【発明を実施するための形態】
【００１３】
図１及び図２は本発明の円環状デンタルマトリックスバンド１０の第１の実施例を示す。円環状デンタルマトリックスバンド１０は、二つの端部１４を持つ全体として細長い金属バンド１２を含むものとして示されている。二つ端部１４は、タブ部分１５（図３参照）を含んでいる。一又は複数の孔１６が夫々の端部１４に設けられている。細長のバンド１２は折り畳まれ二つの端部が合わさるようにされ、対応する一又は複数の孔１６が整列するようにされる。この形状において、第１トッグル１８が細長バンド１２の端部１４上及び一又は複数の孔内にモールド成形される。これにより、端部１４は位置が固定され、円環を画成するループ状バンド２０を形成する。第２トッグル２２がマトリックスバンド１０の上にモールド形成される。しかしながら、第２トッグル２２はマトリックスバンド１０のいかなる孔にもモールド形成されない。むしろ、第２トッグル２２はマトリックスバンド１０に沿ってスライドできるような方法でモールド形成される。一つの実施例として、リテイナーのような器具又は機構により付与される力の下でトッグルの移動を可能にする締まりばめが考えられる。ウェッジ（楔）が使用される場合においては、可動のトッグルは、ウェッジが検討されない場合に比較してより小さい力で動くようにすることができる。第２トッグル、即ち、可動トッグル２２が第１トッグル、即ち、固定トッグル１８から離れてループ状バンド２０の方向に移動すると、可動トッグル２２はループ状バンド２０によって形成される円環のサイズを小さくすることが可能になることが理解できるであろう。ピンセットのような器具（図示せず）による可動トッグル２２の操作に適合させるように、選択的な孔２４が可動トッグル２２内に設けられる。
【００１４】
円環状デンタルマトリックスバンド１０は、一又は複数の孔１６に隣接して一又は複数の孔２６を含んでいる。一又は複数の孔２６は一又は複数の孔の対として形成され、この孔の対は孔１６の配置と同様な方法で互いに整列されることが理解できるであろう。同様に、円環状デンタルマトリックスバンド１０には、垂直方向のパーフォレーション３２の列の一側又は両側に、１又は複数の孔２８が円環状デンタルマトリックスバンド１０の上端縁３０に沿って設けられている。
【００１５】
図１及び図２は、更に、マトリックスバンド上の一又は複数の垂直パーフォレーション３２の列を示している。このパーフォレーションは歯科医師によりピンセットや類似の器具を用いて力を作用させて引き裂くことを可能にする種々の形態をとることができる。孔３６を有する頂部タブ３４がループ状バンド２０の位置に設けられている。タブ３４は幅を確定している。パーフォレーション３８の一又は複数の垂直列がループ状バンド２０の位置で、且つ頂部タブ３４の幅に略整列するか、或いは頂部タブ３４に関連させて設けられている。一又は複数のタブ４０の対が細長のバンド１２のループ状バンド２０の領域の下端縁４２に沿って設けられる。タブ４０の対は互いに対向させることができる。
【００１６】
図３は円環状デンタルマトリックスバンド１０の他の実施例を示し、ここでは他の特徴を示すためにトッグルが省略されている。
【００１７】
図３は孔１６を有するタブ部１５持つ結合された端部１４を示している。図示されるように、ループ状バンド２０は非円筒形でなし、実質的に円錐形をなし、ループ状バンド２０の下部はループ状バンド２０の上部に比較して小さい円環を与えている。
【００１８】
更に、バンド１０の可動トッグル２２はループ状バンド２０に対面するエッジ４４を含む。このエッジ４４は実質的に垂直方向に延びている。しかしながら、エッジ４４は凹曲面又は凸曲面を持つように形成すか、或いは、頂部縁３０と底部縁４２の間で一方から他方に向けて延びる傾斜状輪郭とすることができる。このような形状は歯に適合させる際により大きなフレキシビリティを与える。更に、可動トッグル２２は上部より下部において幅広となる。
【００１９】
全体に細長の金属バンド１２は直線的な縁を持つマトリックスバンドを有する固体材料に限定されることはない。バンドは、例えば、形成されたり、材料で塗布されるようにしてもよい。
【００２０】
使用において、張力付与機構が使用される場合には、細長バンド１２の結合した端部１４は、トッフルマイアー型（Tofflemire-type）テンショナー又は他の張力付与機構に、張力付与機構の前に置かれた可動トッグル２２と共に、取り付けられる。可動トッグル２２は、最初は、ループ状バンド２０によって形成される円環のサイズが最大となるようにループ状バンド２０から離れた位置とされる。ループ状バンド２０が修復される歯（図示せず）の周りに載置される。好ましくは、ループ状バンド２０は、修復される歯の周りに、固定トッグル１８が歯より離れて、歯の頬側部と略直角となる角度で配置される。しかしながら、修復される歯の位置によっては、必要に応じて他の向きを検討することもできる。次に、可動トッグル２２が円環状デンタルマトリックスバンド１０に沿って、ループ状バンド２０の方向に移動させられる。可動トッグル２２は、トッフルマイアー型（Tofflemire-type）テンショナーを用いて、或いは、孔２４に係合するピンセットのような器具を用いて可動トッグル２２をバンド上を滑らせるように操作して前進させられる。可動トッグル２２がループ状バンド２０の方向に進むにつれて、ループ状バンド２０によって形成される円環は連続的に小さくなっていくことが理解できるであろう。可動トッグル２２が前進すると、ループ状バンド２０は、可動トッグル２２が歯に対してぴったりと寄り添うように装着される。孔２６，２８，３６のどの孔もバンド１０を取り扱うためにピンセットのような器具で把持することができる。
【００２１】
次に、ウェッジ（図示せず）が修復される歯の両側に挿入されてしっかりとした接触が確実となるようにする。もし、円環状デンタルマトリックスバンド１０が底部縁４２に沿って設けられるタブ４０を含むものであれば、タブ４０を、隣接する歯の間のスペースに対応させて位置させる。タブ４０は、ウェッジによって捕捉され、バンド１０はしっかりと保持される。
端部１４によって形成される円環状デンタルマトリックスバンド１０の自由端は、ピンセットのような器具により頂部縁３０に沿って設けられた孔２８によりバンド１０を把持し、そして、垂直パーフォレーション３２の一つの列に沿ってその自由端を取り外す。その結果、取り外されたバンド１０の端部は口から取り除かれる。次に、必要に歯が応じて修復される。歯の修復が終了すると、ピンセットを頂部タブ３４の孔３６に挿入し、バンド１０をパーフォレーション３８の一又は複数の垂直列に沿って引き裂くことにより、歯からバンド１０を開放することにより、バンド１０は修復された歯から容易に取り除かれる。
本発明が特定の応用技術に関連して説明されたが、この応用技術は本質的には例示的なものであり、本発明の可能な適用を限定することを意図するものではない。種々の変更及び改良が本発明の精神と範囲を逸脱することなく可能であることが理解されるであろう。本願の開示は本発明の例示を示すものとして意図されたものであり、本発明を例示され、記載された特定の実施例に限定することを意図するものでないことが理解されるであろう。これまでの開示は、添付のクレームにより、クレームの範囲内に属する全ての変更をカバーすることを意図するものである。
【図１】
0006005150.tif 000002
【図２】
0006005150.tif 000003
【図３】
0006005150.tif 000004